(57)【要約】【課題】平面でみて後部開口のＣ字形状の弾性リング状部の両端から左右一対のレバーを後方突出するねじ状蓋開蓋具において、該開蓋具に大小複数の挟持面を設けると共にその使用が便利とした。【解決手段】上記弾性リング状部２の上端部内面から複数の係合突子８を突出させると共にその係合突子８下方のリング状部部分内面を、下向き段部５を介して複数部分に区分して下方部分は大内径に、かつ上方部分は小内径のねじ状蓋挟持面に形成し、又上記両レバー４の少なくとも一方後端部には、内面に滑止め突条９を縦設したねじ状蓋嵌合リング10を付設した。【選択図】  図１
2007030936.tif 000002
【特許請求の範囲】
【請求項１】
平面でみて、後部開口のＣ字形状に形成した弾性リング状部の両端部から左右一対のレバー４を後方突出するねじ状蓋開蓋具１において、上記リング状部２の上端部内面から複数の係合突子８を内方突設すると共にその係合突子８下方のリング状部部分内面を、下向き段部５を介して複数部分に区分して下方部分は大内径かつ上方部分は小内径のねじ状蓋挟持面に形成し、
又上記両レバーの少なくとも一方後端部には、内面へ滑止め突条９を縦設したねじ状蓋嵌合リング10を付設し、両レバー後端部間には、両レバー挟持によって上記リング状部後部の開口３の間隔を狭めて上記挟持面を小径化することが可能な間隙を形成した
ことを特徴とするねじ状蓋開蓋具。
【請求項２】
上記複数係合突子８を、適宜厚み巾を有し、かつ同一長さとした
ことを特徴とする、請求項１記載のねじ状蓋開蓋具。
【発明の詳細な説明】
【技術分野】
【０００１】
本発明はねじ状蓋開蓋具に関する。
【背景技術】
【０００２】
ねじ蓋開け具として、平面でみて、後部開口のＣ字形状に形成した弾性リング状部の開口部両端から、左右一対のレバーを後方突出した用具が知られている（特許文献１）。
【特許文献１】特開平９−１８３４９０号公報
【発明の開示】
【発明が解決しようとする課題】
【０００３】
容器体ないし瓶口頸部外面へ螺合等したねじ状蓋は、締め付けが強すぎると開蓋のための蓋回動の際に指が滑り、その開蓋が困難となる。そのため上記弾性リング状部内に蓋を位置させた状態で、後方突出する左右一対のレバーを強く握って上記弾性リング状部の内径を狭め、蓋周壁を挟持させてレバーを開蓋方向へ回動させるが、従来の用具は蓋に対する、用具挟持面の位置決めが行い難い不便があった。
【０００４】
本発明はその挟持面位置決めが容易であると共に、外径を異にする蓋用として、複数の挟持面を設けたものである。
【課題を解決するための手段】
【０００５】
第１の手段として平面でみて、後部開口のＣ字形状に形成した弾性リング状部の両端部から左右一対のレバー４を後方突出するねじ状蓋開蓋具１において、上記リング状部２の上端部内面から複数の係合突子８を内方突設すると共にその係合突子８下方のリング状部部分内面を、下向き段部５を介して複数部分に区分して下方部分は大内径かつ上方部分は小内径のねじ状蓋挟持面に形成し、
又上記両レバーの少なくとも一方後端部には、内面へ滑止め突条９を縦設したねじ状蓋嵌合リング10を付設し、両レバー後端部間には、両レバー挟持によって上記リング状部後部の開口３の間隔を狭めて上記挟持面を小径化することが可能な間隙を形成した。
【０００６】
第２の手段として、上記第１の手段を有すると共に上記複数係合突子８を、適宜厚み巾を有し、かつ同一長さとした。
【発明の効果】
【０００７】
請求項１のようにすることで、弾性リング状部２内面の最上層内面に合致する外径を有する蓋開蓋の際は、該蓋上面外周部へ各係合突子８の下面を当接させて蓋の位置決めすればよく、又上記最上層内面を除く下方層内面と合致する外径の蓋開蓋の際は、その層上方に下向き段部５が形成させてあるから、その下向き段部下面へ蓋上面外周を当接させて、蓋の位置決めをすることが出来、更に両レバーのうち、少なくとも一方後端部に、内面にすべり止め突条を縦設したねじ状蓋嵌合リング10を付設したから、該リング内径に合致する蓋外面へ嵌合させてその蓋を回し、開蓋できる。
【０００８】
請求項２のようにすることで、それ等複数係合突子８の内面で蓋外面を挟持させて開蓋することも出来る。
【発明を実施するための最良の形態】
【０００９】
以下図面について説明すると、１はねじ状蓋開蓋具である。該開蓋具は、上方からみて後部開口のＣ字形状に形成した弾性リング状部２の開口３両端部から後方（図右方）へ向けて左右一対のレバー４を後外方へ拡開突出させている。尚本願が云うねじ状蓋とは、周壁内面に雌ねじを有する通常のねじ蓋のほか、容器体口頸部の外面と蓋周壁内面との一方に溝等を、他方にはその溝内を摺動する突子等を設けて、口頸部に対する蓋の正逆両方向への回動により開閉蓋できる蓋を含むものとする。
【００１０】
図２が示すように弾性リング状部２は、上下方向中間部内面に下向き段部５を有して、該下向き段部よりも上方のリング状部分内径を小径の挟持面６に、かつ下方を大径の挟持面７とし、又リング状部２の上端内面からは複数の係合突子８をリング状部中心軸線方向へ突出させている。これ等係合突子は通常上記小径挟持面内へ嵌合させるねじ状蓋上面外周部上へ載置させるストッパーとして使用するが、それ等係合突子内端円とほぼ一致する外周を有する蓋に対しては、該蓋周壁外面へ係合突子の内端面を当接させ、該状態からレバー４を握り、各係合突子内端円を小径化させて開蓋することも可能であり、この場合のためには、各係合突子の長さを等しくし、かつ適当な厚み巾として上記挟持が可能に設けておく。横巾は、リング状部弯曲の妨げとならないよう、前方側係合突子８a を狭く形成し、後方側係合突子横巾は蓋外面への接触面を大きくするため巾広としている。
【００１１】
図示例では下向き段部５を１箇だけとしたが、挟持面を上、中、下の３面とする場合は下向き段部５を２箇とすることとなる。各挟持面には、それぞれ複数の滑り止め突条を縦設してもよい。
【００１２】
図１が示すように両レバー４の少なくとも一方の後端部へは内面に滑止め突条９を縦設したねじ状蓋嵌合リング10を付設する。該リングは既述リング状部２と異なり、開口を有しない。該嵌合リングは該リング内径と等しい外径を有する蓋開蓋用として用いるもので、その蓋にも外面に滑止め突条を縦設していることを必要とし、蓋の滑止め突条間へリング内面の突条９をかみ合せてその蓋外面へ嵌合することとなる。
【００１３】
図１が示すように、一方のレバー後端だけに嵌合リング10を付設した場合は、両レバーを握り、両レバー間の間隙を狭めた場合に、上記嵌合リングが他方レバーの後部に接しないよう、該他方レバー後部に凹部11等を設けておく。双方のレバー後端にそれぞれ嵌合リング10を付設する場合は、各レバーの対向側面よりも外方に嵌合リングが位置するよう設ければよい。尚それ等両嵌合リング内径は異なるものとする。
【００１４】
両レバー４の後部外面へも滑止め突条12を縦設することが望ましい。
【００１５】
上記開蓋具は次のように使用することが出来る。例えば小径の挟持面６内へ容器体へ嵌合させた蓋を嵌合させて該蓋上面へ係合突子８を係合させ、該状態から両レバー４を握り開口３を狭めて上記挟持面６で蓋周壁を強く挟持し、該状態からレバー４を開蓋方向へ回し蓋を外せばよい。又嵌合リング10で開蓋する際は、そのリング内へ蓋を嵌合させ、その嵌合リングを有するレバー前部を回せばよい。
【００１６】
挟持用蓋外径が小径挟持面６よりも大でかつ大径挟持面７よりも小である場合は、一対のレバー間隔を弾性に抗して拡げることで小径挟持面内径を大径化させ、該大径化された小径挟持面内へ蓋を嵌合させればよい。従って各挟持面は予め定められた径よりも多少大径の蓋に対しても嵌合させることが出来ることとなる。又これとは逆に開口３の両端間の間隔を拡げておけば多少大径の蓋に対してもレバーを介して開口を狭めて挟持面内径を普通以上に絞ることで蓋を挟持することが出来る。
【図面の簡単な説明】
【００１７】
【図１】本発明開蓋具の底面図である。
【図２】図１Ａ−Ａ線を矢示方向へみた断面図である。
【符号の説明】
【００１８】
２  リング状部                ３  開口
４  レバー                    ５  下向き段部
６  小径の挟持面              ７  大径の挟持面
８  係合突子                  ９  滑止め突条
10  嵌合リング                11  凹部
12  滑止め突条
【図１】
2007030936.tif 000003
【図２】
2007030936.tif 000004